(57)【特許請求の範囲】
【請求項１】
外部電源からの電力の供給を受けて操作端を駆動するモータと、前記外部電源からの電力の供給を受けて充電される蓄電体とを備え、前記外部電源の遮断時に前記蓄電体に蓄えられている電力によって前記モータを強制的に駆動し、このモータによって駆動される操作端が所定の開度に達したことを検出して、前記蓄電体からの前記モータへの電力の供給を遮断する電動アクチュエータにおいて、
前記外部電源および前記蓄電体からの前記モータへの電力の共通の供給通路に設けられ、操作者からの指示に応じて前記モータへの電力の共通の供給通路を開とするスイッチ手段と、
前記外部電源からの電力の供給を受けて動作し、前記モータへの電力の共通の供給通路に設けられている前記スイッチ手段を閉とするリセット手段と、
操作者からの指示に応じて、指示された時間あるいは所定の時間の間、前記外部電源からの電力を前記リセット手段に供給する復帰手段と、
前記外部電源の遮断が復旧された場合、前記リセット手段への外部電源からの電力の供給を所定の遅延時間の経過後に遮断する手段と
を備えることを特徴とする電動アクチュエータ。
【請求項２】
請求項１に記載された電動アクチュエータにおいて、
前記復帰手段は、接点がオンとされている間、前記外部電源からの電力を前記リセット手段に供給する接点自動復帰型の操作スイッチである
ことを特徴とする電動アクチュエータ。
【請求項３】
請求項１に記載された電動アクチュエータにおいて、
前記復帰手段は、
手動でセットされた時間の経過後、前記外部電源からの電力を前記リセット手段に所定の時間のあいだ供給するタイマである
ことを特徴とする電動アクチュエータ。
【発明の詳細な説明】
【技術分野】
【０００１】
この発明は、バルブやダンパなどの操作端を駆動する電動アクチュエータに関するものである。
【背景技術】
【０００２】
従来より、空調設備では、その冷温水配管に設けられるバルブの開閉動作やダクト内を通って空調エリアに供給される調和空気の風量を加減するダンパの開度調整動作を行わせるために電動アクチュエータが用いられている。
【０００３】
この種の通常の電動アクチュエータは、電動アクチュエータの内部にモータを備え、空調用コントローラからの制御指令に応じて、バルブやダンパなどの操作端の開度を設定開度とするように動作する。
【０００４】
このような電動アクチュエータでは、供給されている電源に停電が生じると、操作端の開度は停電直前の動作開度のままとなり、もはや適切な開度制御が行われなくなる。
【０００５】
そこで、電動アクチュエータに供給されている電源が停電となった場合に、所定開度（例えば、全閉）に強制的に動作させ、電源が再び通常状態に復帰するまで、その所定開度を維持するタイプの電動アクチュエータも提案され、既に存在する。以下、このようなタイプの電動アクチュエータを緊急遮断機能付き電動アクチュエータと呼ぶ。
【０００６】
現在、緊急遮断機能付き電動アクチュエータとしては具体的には２タイプ提案されており、１つのタイプはスプリングリターン型、もう１つのタイプは２次電源駆動型と称されている。
【０００７】
スプリングリターン型電動アクチュエータは、電動アクチュエータの駆動軸に対して全閉状態を維持するように付勢されるリターンスプリングを搭載し、電源が供給されている場合はこのリターンスプリングの付勢力に抗して駆動モータを駆動させてバルブやダンパなどの操作端の開度を調整し、停電が生じた場合にはリターンスプリングの付勢力によってバルブやダンパなどの操作端を強制的に所定開度に動作させる。
【０００８】
一方、２次電源駆動型電動アクチュエータは、２次電池や電気二重層コンデンサ等で構成される蓄電体を搭載し、電源が供給されているときは、この電源でモータを駆動させてバルブやダンパなどの操作端の開度を調整し、停電が生じた場合には蓄電体を動作電源とし、モータを駆動させてバルブやダンパなどの操作端を強制的に所定開度に動作させる。
【０００９】
ところで、このような２つのタイプの緊急遮断機能付き電動アクチュエータ同士を比較すると、スプリングリターン型は、リターンスプリングの付勢力が通常時のモータ駆動に対して抵抗として働くので、その抵抗に打ち勝つためにトルクの大きなモータを使用しなくてはならず、電動アクチュエータの大型化・重量化・コストアップをもたらすという短所を持つ。
【００１０】
これに対して、２次電源駆動型は、スプリングリターン型のような短所を有さず、また近年、蓄電体である２次電池や電気二重層コンデンサの容量の改善などもあって、２次電源駆動型電動アクチュエータが有利になりつつある。
【００１１】
図１１に、例えば特許文献１に記載された電動遮蔽弁のモータ駆動回路を示す。同図において、１は商用電源、２は電源スイッチ、３は交流電圧を規定の直流電圧に変換する定電圧回路、４はリレー、５はモータ（ＤＣモータ）、６は開側リミットスイッチ、７は閉側リミットスイッチ、８，９はリレー４の接点（リレー接点）、１０は蓄電体（電気二重層コンデンサ）、１１はダイオード、１２は抵抗である。
【００１２】
このモータ駆動回路では、電源スイッチ２をオンとすると、定電圧回路３から直流電圧が出力され、リレー４が励磁され、リレー接点８，９がそれぞれ端子８ａ，９ａ側に切り換わる。このとき、モータ５が中間開度の状態にあり、開側リミットスイッチ６が端子６ａ側にあり、閉側リミットスイッチ７が端子７ａ側にあるとする。また、開度指令として、全開指令を受けているものとする。
【００１３】
すると、モータ５が回転し、弁が開方向へ駆動される。そして、開側リミットスイッチ６が作動して、端子６ｂ側に切り換わると、すなわち弁が全開となると、モータ５が停止する。一方、蓄電体１０は、抵抗１２を介して充電される。
【００１４】
この状態で、例えば停電などが発生し、定電圧回路３からの直流電圧の出力がなくなると、リレー４の励磁が解けて、リレー接点８，９がそれぞれ端子８ｂ，９ｂ側に切り換わる。このとき、蓄電体１０に蓄えられている電力がダイオード１１と閉側リミットスイッチ７を通じ、モータ５に供給され、モータ５が逆回転し、弁が閉方向に駆動される。そして、閉側リミットスイッチ７が作動して、端子７ｂ側に切り換わると、すなわち弁が全閉となると、モータ５が停止する。
【先行技術文献】
【特許文献】
【００１５】
【特許文献１】特開平１１−１０１３５９号公報
【特許文献２】特許第４７７４２０７号公報
【発明の概要】
【発明が解決しようとする課題】
【００１６】
しかしながら、図１１に示されたモータ駆動回路では、メンテナンス時、電源スイッチ２をオフとし、弁開度を全閉以外の任意の位置に保持したいような場合があり、このような場合、蓄電体１０に蓄電された電力を放電する必要が生じる。
【００１７】
すなわち、メンテナンスに際して電源スイッチ２をオフとすると、停電と同様な状態が発生し、蓄電体１０に蓄えられている電力によってモータ５が強制的に駆動され、弁が全閉とされる。このような状態で、全閉状態の弁を開方向へ動かそうとすると、閉側リミットスイッチ７が端子７ａ側に切り換わり、モータ５への蓄電体１０からの電力の供給が再開され、モータ５が弁を全閉状態に戻そうとする。
【００１８】
したがって、メンテナンス時、電源スイッチ２をオフとし、弁開度を全閉以外の任意の位置に保持したいような場合、モータ５が弁を全閉状態に戻そうとしなくなるまで、蓄電体１０に蓄電されている電力を放電しなければならない。このため、放電終了まで作業に待ち時間が発生するとともに、放電した分の電力が無駄となってしまう。
【００１９】
なお、特許文献２には、充電電源（蓄電体）とアクチュエータ（モータ）との間にスイッチ手段と電源監視手段を設け、電源監視手段が停電を検出するとスイッチ手段をオンにして充電電源とアクチュエータとを接続し、その接続された充電電源によりアクチュエータが作動して閉弁すると、スイッチ手段をオフにして充電電源とアクチュエータとの接続を断って、開閉用のハンドルでもって弁を開放できるようにした遮断弁が示されている。
【００２０】
この特許文献２に示された技術を適用して考えられるモータ駆動回路を図１２に示す。このモータ駆動回路では、特許文献２に示されたスイッチ手段に相当する構成としてスイッチ１３を設け、電源監視手段に相当する構成として電源監視部１４を設けている。電源監視部１４は停電を検出してスイッチ１３をオンとする。
【００２１】
この図１２に示された構成では、メンテナンスに際して電源スイッチ２をオフとすると、リレー接点８，９が端子８ｂ，９ｂ側に切り換わるとともに、電源監視部１４によってスイッチ１３がオンとされ、蓄電体１０に蓄えられている電力がダイオード１１と閉側リミットスイッチ７とスイッチ１３を通じ、モータ５に供給される。これにより、モータ５が逆回転し、弁が閉方向に駆動される。そして、閉側リミットスイッチ７が作動して、端子７ｂ側に切り換わると、すなわち弁が全閉となると、モータ５が停止する。また、弁が全閉となると、スイッチ１３がオフとされる。
【００２２】
このスイッチ１３は、一旦オフとされると、弁の開閉状態に拘わらず、オフの状態を維持する。これにより、手動によるハンドル操作で弁の開放動作を行った際に、閉側リミットスイッチ７が作動して端子７ａ側に切り換わっても、蓄電体１０に蓄えられている電力がモータ５に供給されることがない。このため、蓄電体１０に蓄電されている電力を放電しなくても、手動による弁の開放動作が可能となる。
【００２３】
しかしながら、この構成では、メンテナンスの終了後、通常の使用状態へ復帰させるために、スイッチ１３をオンとする必要があるが、スイッチ１３のオンへの復帰作業（通常使用状態への復帰作業）を手動にすると、復帰作業を失念する可能性がある。また、タイマ手段を設け、タイマ手段の計時に基づいて、閉弁後のスイッチ１３を所定時間経過後にオンとすることが考えられるが、弁を手動開閉できる時間が限られてしまうという問題がある。
【００２４】
本発明は、このような課題を解決するためになされたもので、その目的とするところは、蓄電体に蓄電された電力をすべて放電することなく、また通常使用状態への復帰作業を失念することなく、時間の制約を受けずに、メンテナンスを行うことが可能な電動アクチュエータを提供することにある。
また、外部電源を遮断しなくても、すなわち通電状態のまま、メンテナンスを行うことが可能な電動アクチュエータを提供することにある。
【課題を解決するための手段】
【００２５】
このような目的を達成するために本発明は、外部電源からの電力の供給を受けて操作端を駆動するモータと、外部電源からの電力の供給を受けて充電される蓄電体とを備え、外部電源の遮断時に蓄電体に蓄えられている電力によってモータを強制的に駆動し、このモータによって駆動される操作端が所定の開度に達したことを検出して、蓄電体からのモータへの電力の供給を遮断する電動アクチュエータにおいて、外部電源および蓄電体からのモータへの電力の共通の供給通路に設けられ、操作者からの指示に応じてモータへの電力の共通の供給通路を開とするスイッチ手段と、外部電源からの電力の供給を受けて動作し、モータへの電力の共通の供給通路に設けられているスイッチ手段を閉とするリセット手段と、操作者からの指示に応じて、指示された時間あるいは所定の時間の間、外部電源からの電力をリセット手段に供給する復帰手段と、外部電源の遮断が復旧された場合、リセット手段への外部電源からの電力の供給を所定の遅延時間の経過後に遮断する手段とを備えることを特徴とする。
【００２６】
本発明において、外部電源および蓄電体からのモータへの電力の共通の供給通路にはスイッチ手段が設けられている。このスイッチ手段は通常使用状態では閉とされている。操作者は、メンテナンスを行いたい場合、スイッチ手段を開とする。これにより、外部電源および蓄電体からのモータへの電力の共通の供給通路が開とされ、モータが現在位置で停止する。これにより、外部電源を遮断しなくても、すなわち通電状態のまま、操作端を手動で所望の開度まで動かして、メンテナンスを行うことが可能となる。この場合、蓄電体に蓄電されている電力は消費されない。
【００２７】
本発明では、メンテナンスの終了後、復帰手段を作動させると、操作者から指示された時間あるいは所定の時間の間、外部電源からの電力がリセット手段に供給されて、外部電源および蓄電体からのモータへの電力の共通の供給通路に設けられているスイッチ手段が閉とされる。これにより、スイッチ手段が開から閉に切り換わり、通常使用状態へ復帰する。リセット手段には、復帰手段の作動時のみ、外部電源からの電力が供給される。このため、スイッチ手段の閉状態はリセット手段によって保持されることがなく、外部電源が供給されている状態であっても、スイッチ手段を閉として、メンテナンスを行うことが可能となる。
【００２８】
また、スイッチ手段が通常使用状態に復帰すると、モータへの外部電源の供給が開始される。この場合、復帰手段によってモータへの再通電とスイッチ手段の開から閉への切り換えとを同時に行わせるようにしているので、スイッチ手段の通常使用状態への復帰作業を失念することがなくなる。また、復帰手段を作動させるまで、操作端を手動で操作することが可能であり、時間の制約を受けることもない。
【００２９】
本発明において、復帰手段は、接点がオンとされている間、外部電源からの電力をリセット手段に供給する接点自動復帰型の操作スイッチとしてもよく、手動でセットされた時間の経過後、外部電源からの電力をリセット手段に所定の時間のあいだ供給するタイマとしてもよい。このようなタイマを用いると、メンテナンス前にタイマにあらかじめ時間をセットし、このセットした時間の経過後にリセット手段を作動させて、スイッチ手段を閉とし、通常使用状態へ復帰させるようにすることが可能となる。
【発明の効果】
【００３０】
本発明によれば、外部電源および蓄電体からのモータへの電力の共通の供給通路にスイッチ手段を設け、このスイッチ手段を操作者からの指示に応じて開とする一方、外部電源からの電力の供給を受けて動作するリセット手段と、操作者からの指示に応じて、指示された時間あるいは所定の時間の間、外部電源からの電力をリセット手段に供給する復帰手段とを設けるようにしたので、スイッチ手段を開とすると、外部電源および蓄電体からのモータへの電力の共通の供給通路が開とされ、モータが現在位置で停止し、外部電源を遮断しなくても、すなわち通電状態のまま、操作端を手動で所望の開度まで動かして、メンテナンスを行うことが可能となる。この場合、蓄電体に蓄電されている電力は消費されず、また通常使用状態への復帰作業を失念することなく、メンテナンスを行うことが可能となる。
【図面の簡単な説明】
【００３１】
【図１】本発明に係る電動アクチュエータの一実施の形態（実施の形態１）の要部を示す回路図である。
【図２】この電源アクチュエータの電源スイッチオン時の動作を説明する図である。
【図３】この電源アクチュエータの停電時の動作を説明する図である。
【図４】この電源アクチュエータの方式１でのメンテナンスに際する電源スイッチオフ時の動作を説明する図である。
【図５】この電源アクチュエータの方式１でのメンテナンスに際するメンテナンスモードへの移行状態を示す図である。
【図６】この電源アクチュエータの方式１でのメンテナンスの終了に際して電源スイッチをオンとした状態を示す図である。
【図７】この電源アクチュエータの方式２でのメンテナンスに際するメンテナンスモードへの移行状態を示す図である。
【図８】この電源アクチュエータのメンテナンスの終了に際して接点自動復帰型の操作スイッチをオンとした状態を示す図である。
【図９】本発明に係る電動アクチュエータの他の実施の形態（実施の形態２）の要部を示す回路図である。
【図１０】実施の形態２の電動アクチュエータにおいてＬＥＤ（発光ダイオード）を設けてセットコイルが動作したことを知らせるようにした例を示す図である。
【図１１】特許文献１に記載された電動遮蔽弁のモータ駆動回路を示す図である。
【図１２】特許文献２に示された技術を適用して考えられるモータ駆動回路を示す図である。
【発明を実施するための形態】
【００３２】
以下、本発明の実施の形態を図面に基づいて詳細に説明する。
【００３３】
〔実施の形態１〕
図１はこの発明に係る電動アクチュエータの一実施の形態（実施の形態１）の要部を示す回路図である。同図において、２１は商用電源、２２は電源スイッチ、２３は交流電圧を規定の直流電圧に変換する定電圧回路、２４はリレー、２５はバルブやダンパなどの操作端（図示せず）を駆動するモータ（ＤＣモータ）、２６は開側リミットスイッチ、２７は閉側リミットスイッチ、２８，２９はリレー２４の接点（リレー接点）、３０は蓄電体（電気二重層コンデンサ）、３１は本発明でいうスイッチ手段に相当するリセット機能付きスイッチ、３２は本発明でいうリセット手段に相当するリセットコイル、３３は遅延回路、３４は接点制御部、３５は接点制御部３４によって制御される接点、３６は接点自動復帰型の操作スイッチ、３７は手動でセットされた時間の経過後、所定の時間のあいだオンとなるタイマ、Ｔｒ１はトランジスタ、Ｒ１，Ｒ２は抵抗である。
【００３４】
この電動アクチュエータ１００において、モータ２５のそれぞれの端子は、リレー接点２８のコモン端子２８ｃおよびリレー接点２９のコモン端子２９ｃに接続されている。また、リレー接点２８の常開接点端子２８ａは開側リミットスイッチ２６の端子２６ａに接続され、リレー接点２８の常閉接点端子２８ｂは閉側リミットスイッチ２７の端子２７ａに接続されている。また、リレー接点２９の常閉接点端子２９ｂは開側リミットスイッチ２６のコモン端子２６ｃとともにリセット機能付きスイッチ３１を介して蓄電体３０の一端に接続され、リレー接点２９の常開接点端子２９ａは閉側リミットスイッチ２７のコモン端子２７ｃとともに蓄電体３０の他端に接続されている。
【００３５】
蓄電体３０の一端はトランジスタＴｒ１および抵抗Ｒ１を介して定電圧回路２３からの直流電圧の出力ラインＬ１に接続され、蓄電体３０の他端は定電圧回路２３からの直流電圧の出力ラインＬ２に接続されている。抵抗Ｒ２は定電圧回路２３からの直流電圧の出力ラインＬ１とトランジスタＴｒ１のベースとの間に接続されている。リレー２４は定電圧回路２３からの直流電圧の出力ラインＬ１とＬ２との間に接続されている。
【００３６】
遅延回路３３は、ＲＣフィルタなどで構成され、接点制御部３４への電力の供給タイミングを所定時間遅延させる。接点制御部３４は、例えばリレーのコイルとされ、接点３５のオン／オフを制御する。接点３５は、コモン端子３５ｃと、ａ接点端子３５ａと、ｂ接点端子３５ｂとを備え、通常はコモン端子３５ｃとｂ接点端子３５ｂとがオンとされており、遅延回路３３を介する電力の供給を受けて接点制御部３４が動作すると、コモン端子３５ｃとａ接点端子３５ａとがオンとされる。この例では、コモン端子３５ｃとｂ接点端子３５ｂとがオンとされた状態が接点３５のオン状態、コモン端子３５ｃとａ接点端子３５ａとがオンとされた状態が接点３５のオフ状態となる。
【００３７】
接点３５のコモン端子３５ｃは定電圧回路２３からの直流電圧の出力ラインＬ１に接続され、接点３５のｂ接点端子３５ｂはリセットコイル３２の一端に接続されている。リセットコイル３２の他端は定電圧回路２３からの直流電圧の出力ラインＬ２に接続されている。また、接点３５に並列に、接点自動復帰型の操作スイッチ３６とタイマ３７が接続されている。リセットコイル３２は、通電付勢されると、リセット機能付きスイッチ３１を閉とする。リセット機能付きスイッチ３１は、リセットコイル３２が通電付勢されていない場合、手動操作によって開とすることができ、リセットコイル３２が通電付勢されるまでその開とされた状態を保つ。
【００３８】
なお、この例において、電源スイッチ２２は電動アクチュエータ１００の構成要素として設けられているが、電動アクチュエータ１００の外部にあってもよい。また、図１には示していないが、モータ２５が駆動されないときに操作端の開度を操作可能な手動開度操作手段として、開閉用のハンドルなどが設けられている。また、接点制御部３４は、リレーのコイルの他、トランジスタのベースなどとすることも考えられる。また、接点３５もリレーの接点の他、トランジスタのエミッタ−コレクタとすることも考えられる。
【００３９】
この電動アクチュエータ１００では、電源スイッチ２２をオンとすると、定電圧回路２３から直流電圧が出力され、リレー２４が励磁され、リレー接点２８，２９がそれぞれ常開接点端子２８ａ，２９ａ側に切り換わる。このとき、モータ２５が中間開度の状態にあり、開側リミットスイッチ２６が端子２６ａ側にあり、閉側リミットスイッチ２７が端子２７ａ側にあるとする。また、開度指令として、全開指令を受けているものとする。
【００４０】
すると、図２に示す矢印の経路で電流が流れ、モータ２５が矢印Ａ方向へ回転し、操作端が開方向へ駆動される。そして、開側リミットスイッチ２６が作動して、端子２６ｂ側に切り換わると、すなわち操作端が全開となると、モータ２５が停止する。一方、蓄電体３０は、抵抗Ｒ１，トランジスタＴｒ１を介する電流の供給を受けて充電される。
【００４１】
また、リセット機能付きスイッチ３１は、リセットコイル３２が通電付勢されることから、閉状態とされる。この閉とされた状態がリセット機能付きスイッチ３１の通常使用状態である。なお、リセットコイル３２の通電付勢は、接点制御部３４が遅延回路３３での所定の遅延時間Ｔの経過後に接点３５をオフとすることによって解除される。これにより、リセット機能付きスイッチ３１は手動で開とすることが可能な状態とされる。
【００４２】
〔停電時の緊急遮断〕
この状態で、停電が発生し、すなわち外部電源が遮断され（図３参照）、定電圧回路２３からの直流電圧の出力がなくなると、リレー２４の励磁が解けて、リレー接点２８，２９がそれぞれ常閉接点端子２８ｂ，２９ｂ側に切り換わる。このとき、蓄電体３０に蓄えられている電力によって、図３に示す矢印の経路で電流が流れ、モータ２５が矢印Ｂ方向へ回転（逆回転）し、操作端が閉方向へ駆動される。そして、閉側リミットスイッチ２７が作動して、端子２７ｂ側に切り換わると、すなわち操作端が全閉となると、モータ２５が停止する。一方、停電によって接点制御部３４への電力の供給が断たれることから、接点３５はオンとされる。
【００４３】
〔メンテナンス〕
本実施の形態では、メンテナンスモード（後述）に移行する方式として、２つの方式がある。１つは、電源スイッチ２２をオフとしてからメンテナンスモードに移行する方式、もう１つは、電源スイッチ２２をオンとしたままメンテナンスモードに移行する方式である。以下、電源スイッチ２２をオフとしてからメンテナンスモードに移行する方式を方式１、電源スイッチ２２をオンとしたままメンテナンスモードに移行する方式を方式２として、両方の方式について説明する。方式２では、メンテナンスモードに移行した後、電源スイッチ２２をオフとしなくてもメンテナンスを行うことが可能である。
【００４４】
〔方式１：電源スイッチをオフとしてからメンテナンスモードに移行する方式〕
メンテナンスに際して電源スイッチ２２をオフとすると（図４参照）、停電と同様な状態が発生し、定電圧回路２３からの直流電圧の出力がなくなる。これにより、上述した「停電時の緊急遮断」と同様にして、図４に示す矢印の経路で電流が流れ、モータ２５が矢印Ｂ方向へ回転（逆回転）し、操作端が閉方向へ駆動される。そして、閉側リミットスイッチ２７が作動して、端子２７ｂ側に切り換わると、すなわち操作端が全閉となると、モータ２５が停止する。
【００４５】
この場合、接点制御部３４への電力の供給が断たれることから、接点３５はオンとされる。しかし、接点３５がオンとされても、電源スイッチ２２がオフとされているので、リセットコイル３２の通電付勢は行われない。したがって、リセット機能付きスイッチ３１は、手動で開とすることが可能な状態を維持する。
【００４６】
次に、操作者は、リセット機能付きスイッチ３１を手動で開とする（図５参照）。リセット機能付きスイッチ３１が開とされた状態をメンテナンスモードと呼ぶ。すなわち、この方式１では、電源スイッチ２２をオフとした後、リセット機能付きスイッチ３１を手動で開とすることにより、電動アクチュエータ１００をメンテナンスモードに移行させる。
【００４７】
このメンテナンスモードでは、手動によるハンドル操作で操作端の開放動作を行った際、閉側リミットスイッチ２７が作動して端子２７ａ側に切り換わっても、蓄電体３０に蓄えられている電力がモータ２５に供給されることがない。これにより、蓄電体３０に蓄電されている電力を放電しなくても、手動による操作端の開放動作が可能となる。
【００４８】
〔メンテナンスの終了〕
メンテナンスの終了後、電源スイッチ２２をオンとすると、すなわち外部電源を復旧し、再通電を実施すると（図６参照）、定電圧回路２３からの直流電圧を受けてリセットコイル３２が動作し、リセット機能付きスイッチ３１を閉とする。
【００４９】
これにより、メンテナンスの終了後、再通電を実施した時点で、リセット機能付きスイッチ３１が自動的に開から閉に切り換わり、通常使用状態へ自動復帰する。これにより、通常使用状態への復帰作業を失念することがなくなる。また、再通電を実施するまで、操作端を手動で操作することが可能であり、時間の制約を受けることもない。
【００５０】
また、電源スイッチ２２をオンとすると、定電圧回路２３からの直流電圧を受けてリレー２４が動作し、リレー接点２８，２９がそれぞれ常開接点端子２８ａ，２９ａ側に切り換わる。これにより、メンテナンス時に操作端の開度を全閉以外の任意の位置に保持した状態から、操作端の開度の制御動作が再開される。
【００５１】
また、リセットコイル３２の通電付勢は、接点制御部３４が遅延回路３３での所定の遅延時間Ｔの経過後に接点３５をオフとすることによって解除される。これにより、リセット機能付きスイッチ３１が手動で開とすることが可能な状態とされる。
【００５２】
〔方式２：電源スイッチをオンとしたままメンテナンスモードに移行する方式〕
操作者は、メンテナンスを行いたい場合、電源スイッチ２２をオンとしたまま、リセット機能付きスイッチ３１を手動で開とする（図７参照）。
【００５３】
この場合、接点制御部３４への電力の供給が続けられていることから、接点３５はオフとされている。したがって、リセットコイル３２の通電付勢は行われておらず、リセット機能付きスイッチ３１を手動で開とすることができる。
【００５４】
リセット機能付きスイッチ３１が開とされると、定電圧回路２３および蓄電体３０からのモータ２５への電力の共通の供給通路が開とされた状態となり、メンテナンスモードへ移行する。この場合、定電圧回路２３からも蓄電体３０からもモータ２５への電力の供給が行われないので、モータ２５は現在位置で停止する。
【００５５】
すなわち、この方式２では、電源スイッチ２２をオンとしたまま、リセット機能付きスイッチ３１を手動で開とすることにより、電動アクチュエータ１００を即座にメンテナンスモードに移行させる。メンテナンスモードへの移行後は、電源スイッチ２２をオフとしなくても、手動によるハンドル操作で操作端を動かして、メンテナンスを行うことが可能となる。
【００５６】
この方式２では、方式１のように、蓄電体３０に蓄えられている電力によってモータ２５を強制的に駆動させて、操作端を所定の開度まで駆動させる必要もない。また、モータ２５は現在位置で停止する。
【００５７】
〔メンテナンスの終了〕
〔操作スイッチで復帰〕
メンテナンスの終了後、接点自動復帰型の操作スイッチ３６をオンとすると（図８参照）、定電圧回路２３からの直流電圧を受けてリセットコイル３２が動作し、リセット機能付きスイッチ３１を閉とする。
【００５８】
これにより、メンテナンスの終了後、接点自動復帰型の操作スイッチ３６をオンとした時点で、リセット機能付きスイッチ３１が開から閉に切り換わり、通常使用状態へ復帰する。これにより、モータ２５への定電圧回路２３からの電力の供給が開始され、メンテナンス時に操作端の開度を全閉以外の任意の位置に保持した状態から、操作端の開度の制御動作が再開される。
【００５９】
この場合、接点自動復帰型の操作スイッチ３６によって、モータ２５への再通電とリセット機能付きスイッチ３１の開から閉への切り換えとが同時に行われるので、リセット機能付きスイッチ３１の通常使用状態への復帰作業を失念することがなくなる。また、接点自動復帰型の操作スイッチ３６をオンとするまで、操作端を手動で操作することが可能であり、時間の制約を受けることもない。
【００６０】
接点自動復帰型の操作スイッチ３６は、操作者が押している間だけオンとなり、押すのを止めると自動でオフの状態に復帰する。このため、リセットコイル３２は、接点自動復帰型の操作スイッチ３６をオンとしている間のみ通電付勢され、その後は通電付勢が解除される。これにより、リセット機能付きスイッチ３１は、手動で開とすることが可能な状態に戻される。
【００６１】
〔タイマにて時限で復帰〕
リセット機能付きスイッチ３１は、タイマ３７によって時限で、通常使用状態へ復帰させることも可能である。この場合、メンテナンス前にタイマ３７にあらかじめ時間をセットし、このセットした時間の経過後にリセットコイル３２を作動させて、リセット機能付きスイッチ３１を閉とし、通常使用状態へ復帰させる。
【００６２】
タイマ３７は、手動でセットされた時間の経過後、所定の時間のあいだオンとなる。このため、リセットコイル３２は、タイマ３７がオンとなっている間のみ通電付勢され、その後は通電付勢が解除される。これにより、リセット機能付きスイッチ３１は、手動で開とすることが可能な状態に戻される。
【００６３】
〔実施の形態２〕
上述した実施の形態１の電動アクチュエータ１００では、定電圧回路２３および蓄電体３０からのモータ２５への電力の共通の供給通路にリセット機能付きスイッチ３１を設けるようにしたが、実施の形態２では、図９に示すように、ラッチングリレーの接点（ラッチングリレー接点）３８を設けるようにする。そして、ラッチングリレーのリセットコイル３９とセットコイル４０とを設け、ラッチングリレー接点３８をリセットコイル３９の通電付勢によって閉とするようにし、セットコイル４０の通電付勢によって開とするようにする。
【００６４】
セットコイル４０は、蓄電体３０の一端と他端との間に接続し、セットコイル４０と蓄電体３０の一端との接続ラインには接点自動復帰スイッチ４１を接続する。また、必要に応じて、電池パック４２をセットコイル３２に対して並列に接続する。電池パック４２は、電池ＢＴとスイッチＳＷ１とを直列に接続した回路構成とされている。
【００６５】
この実施の形態２の電動アクチュエータ２００でも、電源スイッチをオフとしてからメンテナンスモードに移行する方式１と、電源スイッチをオンとしたままメンテナンスモードに移行する方式２との２つの方式でメンテナンスを行うことが可能である。
【００６６】
方式１では、電源スイッチ２２をオフとし、蓄電体３０によって操作端を全閉とした後、接点自動復帰スイッチ４１をオンとする。この接点自動復帰スイッチ４１は、操作者が押している間だけオンとなり、押すのを止めると自動でオフの状態に復帰する。接点自動復帰スイッチ４１がオンとなると、セットコイル４０が蓄電体３０からの電力の供給を受けて通電付勢され、ラッチングリレー接点３８が開とされる。
【００６７】
なお、蓄電体３０に電力がたまっておらず、接点自動復帰スイッチ４１をオンとしてもセットコイル４０が通電付勢されない場合には、電池パック４２をセットコイル４０に対して並列に接続し、スイッチＳＷ１をオンとして、電池ＢＴからの電力をセットコイル４０へ与え、ラッチングリレー接点３８を開とする。
【００６８】
方式２では、電源スイッチ２２をオンとしたまま、接点自動復帰スイッチ４１をオンとする。この場合、接点制御部３４への電力の供給が続けられていることから、接点３５はオフとされている。したがって、リセットコイル３９の通電付勢が行われておらず、ラッチングリレー接点３８をセットコイル４０によって開とすることが可能な状態である。
【００６９】
接点自動復帰スイッチ４１は、操作者が押している間だけオンとなり、押すのを止めると自動でオフの状態に復帰する。接点自動復帰スイッチ４１がオンとなると、セットコイル４０が定電圧回路２３からの電力の供給を受けて通電付勢され、ラッチングリレー接点３８が開とされる。
【００７０】
なお、図１０に示すように、セットコイル４０に対して並列にＬＥＤ（発光ダイオード）４３を接続し、セットコイル４０が動作したことを知らせるようにしてもよい。すなわち、例えば、方式１において、蓄電体３０に電力がたまっていれば、接点自動復帰スイッチ４１をオンとした時、セットコイル４０への蓄電体３０からの電力の供給に伴ってＬＥＤ４３への給電が行われ、ＬＥＤ４３が発光し、リセット機能付きスイッチ３１が開とされたことを知らせる。
【００７１】
ＬＥＤ４３が発光しなかった場合、蓄電体３０に電力がたまっていないと判断し、電池パック４２をセットコイル４０に対して並列に接続し、スイッチＳＷ１をオンとして、電池ＢＴからの電力をセットコイル４０へ与え、ラッチングリレー接点３８を開とする。この際、セットコイル４０への電池パック４２からの電力の供給に伴ってＬＥＤ４３への給電が行われ、ＬＥＤ４３が発光し、ラッチングリレー接点３８が開とされたことを知らせる。
【００７２】
なお、上述した実施の形態では、スイッチ手段としてリセット機能付きスイッチ３１やラッチングリレー接点３８を用い、リセット手段としてリセットコイル３２や３９を用いるようにしたが、このようなものに限られるものではない。
【００７３】
すなわち、スイッチ手段は、操作者からの指示に応じて蓄電体３０からのモータ２５への電力の供給通路を開とすることができるものであればよく、リセット手段は、外部電源の遮断が復旧された場合、その外部電源からの電力の供給を受けて動作し、蓄電体３０からのモータ２５への電力の供給通路に設けられているスイッチ手段を閉とすることができるものであればよく、どのような形態のものでも構わない。
【００７４】
また、ＬＥＤ４３に代えてブザーなどを設けてもよく、人間の五感にて感知できる素子であれば、どのようなものであってもよい。
【００７５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００７６】
２１…商用電源、２２…電源スイッチ、２３…定電圧回路、２４…リレー、２５…モータ（ＤＣモータ）、２６…開側リミットスイッチ、２７…閉側リミットスイッチ、２８，２９…リレー接点、３０…蓄電体（電気二重層コンデンサ）、３１…リセット機能付きスイッチ、３２…リセットコイル、３３…遅延回路、３４…接点制御部、３５…接点、３６…接点自動復帰型の操作スイッチ、３７…タイマ、３８…ラッチングリレー接点、３９…ラッチングリレーのリセットコイル、４０…ラッチングリレーのセットコイル、４１…接点自動復帰スイッチ、４２…電池パック、４３…ＬＥＤ（発光ダイオード）、１００，２００…電動アクチュエータ。
【図１】
0005997498.tif 000002
【図２】
0005997498.tif 000003
【図３】
0005997498.tif 000004
【図４】
0005997498.tif 000005
【図５】
0005997498.tif 000006
【図６】
0005997498.tif 000007
【図７】
0005997498.tif 000008
【図８】
0005997498.tif 000009
【図９】
0005997498.tif 000010
【図１０】
0005997498.tif 000011
【図１１】
0005997498.tif 000012
【図１２】
0005997498.tif 000013